(57)【要約】      （修正有）【課題】メイン固定部材に複数の装飾物が組み合わせられ、前記装飾物を選択して吊着可能である装飾用装置を提供する。【解決手段】装飾用装置は、接合部材が設置される固定面を有し、且つ、前記固定面に対する一側には辺縁部材が設置されるベースと、各々異なる形状の形態を呈し、且つ前記形態には隙間３１を有し、隙間３１により前記ベースの辺縁部材に吊着され、装飾効果を有するのみならず、異なる形状の装飾物３を気分に合わせて飾ることができて対象者の心情に寄り添うことができる複数の装飾物３とを備える。【選択図】図３
0003212629.tif 000002
【実用新案登録請求の範囲】
【請求項１】
接合部材が設置される固定面を有し、且つ、前記固定面に対する一側には辺縁部材が設置されるベースと、
各々異なる形状の形態を呈し、且つ前記形態には隙間を有し、前記隙間により前記ベースの辺縁部材に吊着される複数の装飾物とを備え、
装飾効果のみならず、気分に合わせて異なる形状の前記装飾物を自由に交換して吊着できるため、対象者の心情に寄り添う効果を達成させることを特徴とする装飾用装置。
【請求項２】
前記ベースは球技をテーマとし、例えばバスケットボールのゴール、サッカーのゴール、野球のベース等のその球技に必要なハードウェアを固定物とすることを特徴とする、請求項１に記載の装飾用装置。
【請求項３】
前記ベースの辺縁部材はバスケットボールのバスケット、サッカーのゴールの辺縁、野球のベースの辺縁であり、前記装飾物は球技をする人物、バスケットボールのゴールに対して異なる形状のダンクシュートをする人物、サッカーのゴーに対して異なる形状のサッカーボールを持った人物、または野球のベースに対して異なる形状の野球のベースにスライディングする人物等であることを特徴とする、請求項２に記載の装飾用装置。
【請求項４】
前記ベースの接合部材として両面テープまたは磁石が採用され、パソコンのスクリーンのフレーム、パソコン本体のケース等の好きな場所に固定でき、これら前記異なる形状の形態（スポーツする人物）を気分に合わせて異なる形状の装飾物に交換させて吊着でき、装飾及び使用者の心情に寄り添う効果を達成させることを特徴とする、請求項１に記載の装飾用装置。
【請求項５】
接合部材が設置される固定面を有し、且つ、前記固定面に対する一側にはバスケット及びネットが設置されるベースと、
各々異なる形状のダンクシュートをする人物を呈する複数の装飾物とを備え、
前記ダンクシュートをする人物とバスケットボールとの間の隙間により前記バスケットボールのゴールに吊着され、躍動感のあるダンクシュートの前記装飾物が形成されることを特徴とする装飾用装置。
【請求項６】
前記ベースの接合部材として両面テープまたは磁石が採用され、パソコンのスクリーンのフレーム、パソコン本体のケース等の好きな場所に固定でき、これにより、これら前記異なる形状のダンクシュートをする人物を気分に合わせて別のダンクシュートの態勢の装飾物に変更して吊着でき、装飾及び使用者の心情に寄り添う効果を達成させることを特徴とする、請求項５に記載の装飾用装置。
【請求項７】
物体の辺縁に吊着可能である装飾用装置であって、少なくとも１つの装飾物を備え、前記装飾物は異なる形状の形態を呈し、且つ前記形態には隙間を有し、前記隙間により前記物体の辺縁に吊着され、装飾効果を達成させることを特徴とする装飾用装置。
【請求項８】
物体の辺縁に吊着可能である装飾用装置であって、少なくとも１つの装飾物を備え、前記装飾物は異なる形状のダンクシュートをする人物であり、前記ダンクシュートをする人物とバスケットボールとの間の隙間により前記物体の辺縁に吊着されることを特徴とする装飾用装置。
【考案の詳細な説明】
【技術分野】
【０００１】
本考案は、装飾用装置に関し、より詳しくは、メイン固定部材に複数の装飾物が組み合わせられて選択の幅が広がる前記装飾物を吊着させるための装飾用装置に関する。
【背景技術】
【０００２】
屋内に装飾物を設置させると周囲の環境を飾り立てる効果が達成される。また、見る人に異なる視覚効果を与える。同様に、自分の部屋や机の上に装飾物を飾っても装飾効果を達成させ、自分の心境に好影響を与えることができる。
【考案の概要】
【考案が解決しようとする課題】
【０００３】
現在様々な装飾物が存在するが、どれも単一の形式で設計されている。換言すれば、各種の装飾物は既定の設計形態を呈しており、どれも変化に乏しい。同型のシリーズで形態を変化させて設計されているものもあるが、シリーズ全てを一同に設置しなければならない。日々接触した物事によって変化する各個人の心情に合わせられるように、変換機能を有する装飾物を設計することで新しい選択肢を提供することができる。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、装飾用装置を提供することを主目的とする。すなわち、前記装飾用装置はメイン固定部材に複数の装飾物が組み合わせられ、前記装飾物を選択して吊着可能である。例えば、バスケットボールをテーマとし、バスケットボールのゴールを固定物とし、好きな場所に定位させ、さらに様々なダンクシュートの態勢の人物が装飾物として組み合わせられ、ダンクシュートの態勢の人物とバスケットボールとの間の隙間により前記バスケットボールのゴールに吊着され、躍動感のあるダンクシュートの装飾が形成される。これにより、気分に合わせて別のダンクシュートの態勢の装飾物に変更して吊着できるようになり、装飾効果を達成させ、且つ異なるダンクシュートの態勢の装飾物に変更することで使用者の心情に寄り添う効果をも達成させる。
【課題を解決するための手段】
【０００６】
上述した課題を解決し、目的を達成するために、本考案に係る装飾用装置の特徴は、接合部材が設置される固定面を有し、且つ、前記固定面に対する一側には辺縁部材が設置されるベースと、各々異なる形状の形態を呈し、且つ前記形態には隙間を有し、前記隙間により前記ベースの辺縁部材に吊着され、装飾効果のみならず、異なる形状の装飾物により対象者の心情に寄り添う効果をも達成させる複数の装飾物とを備える。
【０００７】
好ましくは、前記ベースは球技をテーマとし、例えばバスケットボールのゴール、サッカーのゴール、野球のベース等のその球技に必要なハードウェアを固定物とする。前記ベースの辺縁部材はバスケットボールのバスケット、サッカーのゴールの辺縁、野球のベースの辺縁である。前記装飾物は異なる形状のダンクシュートをする人物、異なる形状のシュートをする人物、または異なる形状のスライディングする人物等である。
【０００８】
好ましくは、前記固定面の接合部材として両面テープまたは磁石が採用され、パソコンのスクリーンのフレーム、パソコン本体のケース等の好きな場所に固定できる。これら前記異なる形状の形態（スポーツする人物）を気分に合わせて異なる形状の装飾物に交換させて吊着でき、装飾及び使用者の心情に寄り添う効果を達成させる。
【図面の簡単な説明】
【０００９】
【図１】本考案の好ましい実施形態による装飾用装置がバスケットボールを装飾テーマとし、バスケットを固定物とする傾斜図である。
【図２】本考案の装飾用装置が異なるダンク態勢の装飾物で吊着される概略図である。
【図３】本考案の装飾用装置が異なるダンク態勢の装飾物で吊着される概略図である。
【図４】本考案の装飾用装置が異なるダンク態勢の装飾物で吊着される概略図である。
【図５】本考案の装飾用装置が異なるダンク態勢の装飾物で吊着される概略図である。
【図６】本考案の装飾用装置が異なるダンク態勢の装飾物で吊着される概略図である。
【図７】本考案の装飾用装置が異なるダンク態勢の装飾物で吊着される概略図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１１】
以下、図１〜７を参照しながら、本考案の装飾用装置を詳しく説明する。本考案の装飾用装置は、ベース及び複数の装飾物を備える。前記ベースは接合部材が設置される固定面を有し、且つ、前記固定面に対する一側には辺縁部材が設置される。前記複数の装飾物の各装飾物は異なる形状の形態を呈し、且つ前記形態には隙間を有し、前記隙間により前記ベースの辺縁部材に吊着され、装飾効果のみならず、異なる形状の装飾物により対象者の心情に寄り添う効果をも達成させる。さらに、図１に示すように、本考案の装飾用装置１はバスケットボールをテーマとし、前記ベース２はバスケットボールのゴールであり、前記ベース２は固定面２１を有する。前記固定面２１には接合部材２２を収容させるための収容溝２１１が設けられる。前記接合部材２２として両面テープまたは磁石が採用され、パソコンのスクリーンのフレーム、パソコン本体のケース等の好きな場所に固定可能になる。また、前記固定面２１に対する一側にはバスケット２３（即ち、辺縁部材）及びネット２４が設置され、前記バスケット２３に前記装飾物が吊着される。
【００１２】
前記複数の装飾物３の各装飾物は異なる形状のダンクシュートをする人物（図２乃至図７に示すように、片手、両手、及び後向きでダンクシュートをする人物）であり、前記ダンクシュートをする人物とバスケットボールとの間には隙間３１を有し、隙間により前記バスケットボールのゴールに吊着され、躍動感があるダンクシュートの装飾物が形成される。このように、気分に合わせて異なるダンクシュートの態勢の装飾物３に変更して吊着可能であり、装飾効果のみならず、異なるダンクシュートの態勢の装飾物により対象者の心情に寄り添う効果をも達成させる。ちなみに、本考案の装飾物は前記ダンクシュートをする人物とバスケットボールとの間に隙間３１を有するように設計され、前記バスケットボールのゴール（本考案のベース）に吊着されるのみならず、環境に合わせて他の物体の辺縁に吊着させることもでき、同様にダイナミックなダンクシュートの装飾効果を達成させる。
【００１３】
本考案は前述した実施の形態のみに限定されるものではなく、本考案の要旨を逸脱しない範囲において種々の変更が可能であることは勿論である。なお、本考案の各種の修飾及び変化として、例えば、サッカーのゴール、野球のベース等を固定物としてもよい。前記ベースの辺縁部材はサッカーのゴールの辺縁、野球のベースの辺縁でもよい。前記装飾物は異なる形状のゴールを決める人物、または異なる形状のスライディングする人物等でもよく、このようなものも本考案の出願範囲に含まれる。
【符号の説明】
【００１４】
１  装飾用装置
２  ベース
２１  固定面
２２  接合部材
２３  バスケット
２４  ネット
２１１  収容溝  
３  装飾物
３１  隙間
【図１】
0003212629.tif 000003
【図２】
0003212629.tif 000004
【図３】
0003212629.tif 000005
【図４】
0003212629.tif 000006
【図５】
0003212629.tif 000007
【図６】
0003212629.tif 000008
【図７】
0003212629.tif 000009